(57)【要約】  本発明は、ＩＮＴＲＡピクチャ又はＩＮＴＥＲピクチャである連続するピクチャからなるビデオストリームの形態で利用でき且つ画像の原シーケンスに対応するディジタルビデオデータをエンコードするための方法及び装置に関する。ＩＮＴＲＡピクチャは、Ｉピクチャと称され且つ任意の過去のピクチャ又は未来のピクチャと何等関連することなく所謂ＩＮＴＲＡモードによってエンコードされる。ＩＮＴＥＲピクチャは、Ｐピクチャと称され且つＩＮＴＲＡ又はＩＮＴＥＲピクチャである過去のピクチャ又は未来のピクチャに関連してエンコードされる単一方向予測ピクチャ、又は、Ｂピクチャと称され且つ一つ又は複数の基準ピクチャに関連してエンコードされる双方向予測ピクチャである。ＩＮＴＲＡピクチャは、それ自体、時間的冗長性が利用できない場合にシーン変化に対応する新たなピクチャ群の初めに配置され且つシーン変化Ｉピクチャと称されるＩピクチャ、又は、何等かの時間的冗長性を利用できる場合に他の位置に配置され且つリフレッシュピクチャと称されるＩピクチャを含んでいる。本発明において、方法は、上記ＩＮＴＲＡリフレッシュピクチャが、量子化されてＩＮＴＲＡモードでエンコードされる前に、最後にエンコードされたＩＮＴＥＲピクチャの画質及びアーティファクトにほぼ類似する画質及びアーティファクトを有するＩＮＴＥＲピクチャに置き換えられることを特徴とする。
2008500760.tif 000002
【特許請求の範囲】
【請求項１】
Ｉピクチャと称され且つ任意の過去のピクチャ又は未来のピクチャと何等関連することなく所謂ＩＮＴＲＡモードによってエンコードされるＩＮＴＲＡピクチャ、又は、それ自体がＰピクチャと称され且つＩＮＴＲＡ若しくはＩＮＴＥＲピクチャである過去のピクチャ若しくは未来のピクチャに関連してエンコードされる単一方向予測ピクチャ又はＢピクチャと称され且つ一つ又は複数の基準ピクチャに関連してエンコードされる双方向予測ピクチャであるＩＮＴＥＲピクチャ、である連続するピクチャからなるビデオストリームの形態で利用でき且つ画像の原シーケンスに対応するディジタルビデオデータをエンコードする方法であって、前記ＩＮＴＲＡピクチャ自体が、時間的冗長性が利用できない場合にシーン変化に対応する新たなピクチャ群の初めに配置され且つシーン変化Ｉピクチャと称されるＩピクチャ、又は、何等かの時間的冗長性を利用できる場合に他の位置に配置され且つリフレッシュピクチャと称されるＩピクチャを含み、出力コード化ビットストリームを生成するようになっている方法において、前記ＩＮＴＲＡリフレッシュピクチャは、量子化されてＩＮＴＲＡモードでエンコードされる前に、最後にエンコードされたＩＮＴＥＲピクチャの画質及びアーティファクトにほぼ類似する画質及びアーティファクトを有するＩＮＴＥＲピクチャに置き換えられることを特徴とするエンコーディング方法。
【請求項２】
各ＩＮＴＲＡリフレッシュピクチャは、
（ａ）関与するＩＮＴＲＡリフレッシュピクチャがＩＮＴＥＲピクチャとしてエンコードされるステップであって、シーケンスの先行するＩＮＴＥＲピクチャのエンコーディングステップに類似するが、対応する出力ビットが前記出力コード化ビットストリームへいかなる方法によっても送られないステップと、
（ｂ）このようにして得られたエンコードされたＩＮＴＲＡリフレッシュピクチャに対応する時間的に予測されるピクチャが再構成されるステップと、
（ｃ）このようにして得られた再構成されたピクチャがＩＮＴＲＡモードでエンコードされるステップであって、対応する出力ビットが前記出力コード化ビットストリームへ送られるステップと、
の実施によりエンコードされることを特徴とする請求項１に記載のエンコーディング方法。
【請求項３】
各ＩＮＴＲＡリフレッシュピクチャは、
（ａ）関与するＩＮＴＲＡリフレッシュピクチャがＰピクチャとしてエンコードされるステップであって、シーケンスの先行するＰピクチャのエンコーディングステップに類似するが、対応する出力ビットが前記出力コード化ビットストリームへいかなる方法によっても送られないステップと、
（ｂ）このようにして得られたエンコードされたＩＮＴＲＡリフレッシュピクチャに対応する時間的に予測されるピクチャが再構成されるステップと、
（ｃ）このようにして得られた再構成されたピクチャがＩＮＴＲＡモードでエンコードされるステップであって、対応する出力ビットが前記出力コード化ビットストリームへ送られるステップと、
の実施によりエンコードされることを特徴とする請求項１に記載のエンコーディング方法。
【請求項４】
最後のエンコーディングステップの前に、他のＩＮＴＥＲピクチャの場合よりもかなり低い量子化レベルをもって、関与するＩＮＴＲＡリフレッシュピクチャの量子化ステップが行われることを特徴とする請求項２又は３に記載のエンコーディング方法。
【請求項５】
シーンカットの直後に位置するＩＮＴＲＡピクチャを除く総てのＩＮＴＲＡピクチャに対して適用されることを特徴とする請求項４に記載のエンコーディング方法。
【請求項６】
大きな動きを伴うシーン中に位置するＩＮＴＲＡリフレッシュピクチャを除く総てのＩＮＴＲＡピクチャに対して適用されることを特徴とする請求項４に記載のエンコーディング方法。
【請求項７】
そのデコーディングループにデブロッキングフィルタを備えるＨ．２６４のようなエンコーダにより前記シーケンスが処理される場合に、前記デブロッキングフィルタがＩＮＴＲＡリフレッシュピクチャに関して無効にされることを特徴とする請求項１に記載のエンコーディング方法。
【請求項８】
Ｉピクチャと称され且つ任意の過去のピクチャ又は未来のピクチャと何等関連することなく所謂ＩＮＴＲＡモードによってエンコードされるＩＮＴＲＡピクチャ、又は、それ自体がＰピクチャと称され且つＩＮＴＲＡ若しくはＩＮＴＥＲピクチャである過去のピクチャ若しくは未来のピクチャに関連してエンコードされる単一方向予測ピクチャ又はＢピクチャと称され且つ一つ又は複数の基準ピクチャに関連してエンコードされる双方向予測ピクチャであるＩＮＴＥＲピクチャ、である連続するピクチャからなるビデオストリームの形態で利用でき且つ画像の原シーケンスに対応するディジタルビデオデータをエンコードするために設けられるエンコーディング装置であって、前記ＩＮＴＲＡピクチャ自体が、時間的冗長性が利用できない場合にシーン変化に対応する新たなピクチャ群の初めに配置され且つシーン変化Ｉピクチャと称されるＩピクチャ、又は、何等かの時間的冗長性を利用できる場合に他の位置に配置され且つリフレッシュピクチャと称されるＩピクチャを含み、出力コード化ビットストリームを生成するようになっているエンコーディング装置において、エンコードされるべきＩ，Ｐ，Ｂピクチャのシーケンスを受け取ってエンコードする量子化及びコーディングブランチと、それぞれがエンコードされる受け取られたピクチャに対応する予測されるピクチャを再構成する予測ブランチと、前記Ｉ，Ｐ，Ｂピクチャに適用される連続するエンコーディング演算を制御する制御ブランチとを少なくとも備え、前記制御ブランチは、エンコードされるべきＩピクチャがリフレッシュピクチャである場合に、
（ａ）関与するＩＮＴＲＡリフレッシュピクチャがＩＮＴＥＲピクチャとしてエンコードされるステップであって、シーケンスの先行するＩＮＴＥＲピクチャのエンコーディングステップに類似するが、対応する出力ビットが前記出力コード化ビットストリームへいかなる方法によっても送られないステップと、
（ｂ）このようにして得られたエンコードされたＩＮＴＲＡリフレッシュピクチャに対応する時間的に予測されるピクチャが再構成されるステップと、
（ｃ）このようにして得られた再構成されたピクチャがＩＮＴＲＡモードでエンコードされるステップであって、対応する出力ビットが前記出力コード化ビットストリームへ送られるステップと、
の実施を制御することを特徴とするエンコーディング装置。
【請求項９】
前記ステップ（ａ）において、前記ＩＮＴＥＲピクチャはＰピクチャであることを特徴とする請求項８に記載のエンコーディング装置。
【請求項１０】
関与するＩＮＴＲＡリフレッシュピクチャは、それらが最後のエンコーディングステップでエンコードされる前に、他のＩＮＴＥＲピクチャの場合よりもかなり低い量子化レベルをもって量子化されることを特徴とする請求項８又は９に記載のエンコーディング装置。
【請求項１１】
シーンカットの直後に位置するＩＮＴＲＡピクチャを除く総てのＩＮＴＲＡピクチャに対して適用されることを特徴とする請求項１０に記載のエンコーディング装置。
【請求項１２】
大きな動きを伴うシーン中に位置するＩＮＴＲＡリフレッシュピクチャを除く総てのＩＮＴＲＡピクチャに対して適用されることを特徴とする請求項１０に記載のエンコーディング装置。
【請求項１３】
そのデコーディングループにデブロッキングフィルタを備えるＨ．２６４のようなエンコーダにより前記シーケンスが処理される場合に、前記デブロッキングフィルタがＩＮＴＲＡリフレッシュピクチャに関して無効にされることを特徴とする請求項１０に記載のエンコーディング装置。
【発明の詳細な説明】
【技術分野】
【０００１】
本発明は、概して、ディジタルビデオ圧縮の分野、例えば、ＩＳＯ／ＭＰＥＧ系（ＭＰＥＧ−１，ＭＰＥＧ−２，ＭＰＥＧ−４）のビデオコーディング規格及びＩＴＵ−Ｈ．２６Ｘ系（Ｈ．２６１，Ｈ．２６３及び拡張版Ｈ．２６４）のビデオ推奨に関する。
【０００２】
より正確には、本発明は、Ｉピクチャと称され且つ任意の過去のピクチャ若しくは未来のピクチャと何ら関連することなく所謂ＩＮＴＲＡモードによってエンコードされるＩＮＴＲＡピクチャ、又は、それ自体がＰピクチャと称され且つＩＮＴＲＡ若しくはＩＮＴＥＲピクチャである過去のピクチャ又は未来のピクチャに関連してエンコードされる単一方向予測ピクチャ又はＢピクチャと称され且つ一つ又は複数の基準ピクチャに関連してエンコードされる双方向予測ピクチャであるＩＮＴＥＲピクチャ、である連続するピクチャからなるビデオストリームの形態で利用でき且つ画像の原（original）シーケンスに対応するディジタルビデオデータをエンコードする方法であって、上記ＩＮＴＲＡピクチャ自体が、時間的冗長性が利用できない場合にシーン変化に対応する新たなピクチャ群の初めに配置され且つシーン変化Ｉピクチャと称されるＩピクチャ、又は、何等かの時間的冗長性を利用できる場合に他の位置に配置され且つリフレッシュピクチャと称されるＩピクチャを含むエンコーディング方法に関する。
【０００３】
また、本発明は、対応するエンコーディング装置に関する。
【背景技術】
【０００４】
現代のディジタルビデオコーディングシステムでは、二つの主要なモード、即ち、ＩＮＴＲＡモード及びＩＮＴＥＲモードを使用してビデオ信号を圧縮する。ＩＮＴＲＡモードにおいて、ルミナンスチャンネル及びクロミナンスチャンネルは、変換コーディングにより単一の画像の所定のチャンネルでピクチャの空間的な冗長性を利用することによりエンコードされる。別個の画像間の時間的冗長性を利用するＩＮＴＥＲモードは、一つの画像から他の画像へのピクチャの動きをエンコードすることにより前にデコードされた一つの（又は複数の）画像から一つの画像を予測する動き補償技術に依存している。
【０００５】
通常、エンコードされるべき画像は独立の複数のブロックに分割され、それらの各ブロックには一つ又は複数の動きベクトルが割り当てられる。画像の予測は、動きベクトルの組に従って基準画像からピクセルブロックを移動させることにより構成される（ルミナンスチャンネル及びクロミナンスチャンネルは同じ動作記述を共有する）。最終的に、エンコードされるべき画像とその動き補償された予測との間の残留信号と称される差異は、デコードされた画像を更に精緻化するために、変換コーディングによりＩＮＴＲＡモード等によりエンコードされる。
【０００６】
例えば「ＭＰＥＧ  ｖｉｄｅｏ  ｃｏｄｉｎｇ：ａ  ｂａｓｉｃ  ｔｕｔｏｒｉａｌ  ｉｎｔｒｏｄｕｃｔｉｏｎ」、Ｓ．Ｒ．Ｅｌｙ著、Ｒｅｐｏｒｔ  ＢＢＣ  ＲＤ、１９９６年３月（非特許文献１）等の文献で想起されるＭＰＥＧ用語において、ＩＮＴＲＡモードはＩピクチャ又はスライス（スライスは一群の連続するマクロブロックである）に対応しており、一方、ＩＮＴＥＲモードはＰ及びＢピクチャ又はスライスに対応している。ＩＮＴＥＲモードのコーディング効率は、ＩＮＴＥＲモードが時間的な予測を利用しているため、ＩＮＴＲＡモードの効率よりも十分に高い。即ち、多くの信号が動き補償により形成される予測に含まれており、また、残留信号は当初の信号よりも小さいエネルギーを有している。ＩＮＴＲＡピクチャは、それらのエンコーディングがそれら自体の空間的冗長性のみに依存しているため、任意の他のピクチャ（ＩＮＴＥＲピクチャにおける場合ではない）とは無関係にデコードすることができる。従って、ＩＮＴＲＡピクチャは、それらの低いコーディング効率にも拘わらず、一つのビットストリーム中に周期的に挿入され、それにより、ランダムアクセスポイントが形成され、新たなＧＯＰ（ピクチャのグループ）が始まり、あるいは、エンコーダ／デコーダ間のドリフト（チャンネル損失又はエンコーダ／デコーダ実施不一致に起因するデコーディングエラー）が排除される。
【０００７】
本特許出願において、ＩＮＴＥＲピクチャがより効果的となっている場所に配置されるＩＮＴＲＡピクチャ（即ち、シーン変化にではなく、多くの時間的冗長性を利用できる場所にＩＮＴＲＡピクチャがある）は、「リフレッシュ」ピクチャと称される。また、ＩＮＴＲＡピクチャは、時間的冗長性がエンコーディングを補助しないシーンカットにも有利に配置できる。しかしながら、この発明は、具体的には、シーンカットではなく、リフレッシュＩＮＴＲＡピクチャに焦点を合わせている。
【非特許文献１】「ＭＰＥＧ  ｖｉｄｅｏ  ｃｏｄｉｎｇ：ａ  ｂａｓｉｃ  ｔｕｔｏｒｉａｌ  ｉｎｔｒｏｄｕｃｔｉｏｎ」、Ｓ．Ｒ．Ｅｌｙ著、Ｒｅｐｏｒｔ  ＢＢＣ  ＲＤ、１９９６年３月
【発明の開示】
【発明が解決しようとする課題】
【０００８】
本発明により解決される問題は、以下の通りである。即ち、ＩＮＴＲＡピクチャ及びＩＮＴＥＲピクチャは、基本となるエンコーディング方法が異なるため、異なるコーディングアーティファクトを示す。同質のビデオシーケンスの全体に亘って、その後のＩＮＴＥＲピクチャの画質及びアーティファクトは安定する傾向がある。しかしながら、ＩＮＴＲＡリフレッシュフレームがエンコードされる場合には、ＩＮＴＥＲコーディングに起因する総ての先行するアーティファクトが消去され、ＩＮＴＲＡコーディングに起因する新たなアーティファクトが突然に導入される。従って、ビデオ画質はリフレッシュフレームにおいて乱れ、その結果、特に低い動作シーケンスで且つ中程度の又は低いビットレートで（コーディングアーティファクトが非常に目立つようになるとき）目に見える、ここではフラッシング効果と称されるものが発生する。
【０００９】
このフラッシング効果は、総てのＭＰＥＧ系において存在するが、デブロッキングフィルタを使用する最近の規格ＭＰＥＧ−４  ｐａｒｔ  １０（Ｈ．２６４）によって増幅される。ＩＮＴＥＲピクチャの同質で安定な領域において、デブロッキングフィルタは非常に影響が低く、その結果、ほとんどフィルタ処理されない再構成となる。これは、エンコードされるべき残留信号が少ないからである。ＩＮＴＲＡフレームにおいては、残留信号が十分に大きいエネルギーを有しているため、デブロッキングが再び活性化される。突然に作用するデブロッキングフィルタは、ＩＮＴＲＡ（フィルタ処理された）ピクチャとＩＮＴＥＲ（フィルタ処理されていない）ピクチャとの間のビジュアルギャップをかなり高める。従って、デブロッキングフィルタ適応作用によりフラッシング効果が悪化する。
【課題を解決するための手段】
【００１０】
本発明の目的は、フラッシング効果を減少させ又は排除するための技術的な解決策を提案することである。
【００１１】
この目的のため、本発明は、明細書本文の導入部分に記載されるようなエンコーディング方法であって、更に、上記ＩＮＴＲＡリフレッシュピクチャが、量子化されてＩＮＴＲＡモードでエンコードされる前に、最後にエンコードされたＩＮＴＥＲピクチャの画質及びアーティファクトにほぼ類似する画質及びアーティファクトを有するＩＮＴＥＲピクチャに置き換えられることを特徴とするエンコーディング方法に関する。
【００１２】
この技術的解決策は、一般的にそうであるように、ＩＮＴＲＡリフレッシュフレームが当初のピクチャに関して直接にエンコードされず、リフレッシュピクチャに置き換えるために所謂「偽（fake）」ピクチャから生成されるため、フラッシング効果を減少させ又は排除するのに効果的である。これらの偽ピクチャは、ピクチャの原（original）シーケンスに存在せず、上記シーケンスの他の時間的に予測されるピクチャと同じ画質及びアーティファクトを有している。エンコーダは、この異なるバージョンのピクチャを注意深くエンコードし、その結果、デコードされたピクチャの見映えは他のピクチャのそれと同じままである。即ち、上記デコードされたピクチャは、あたかもそれがリフレッシュされずＩＮＴＥＲモードによってのみエンコードされたかのように、ＩＮＴＲＡピクチャのようには見えない。
【００１３】
本発明の他の目的は、上記エンコーディング方法を実行可能なエンコーディング装置を提案することである。
【００１４】
この目的のため、本発明は、Ｉピクチャと称され且つ任意の過去のピクチャ又は未来のピクチャと何等関連することなく所謂ＩＮＴＲＡモードによってエンコードされるＩＮＴＲＡピクチャ、又は、それ自体がＰピクチャと称され且つＩＮＴＲＡ若しくはＩＮＴＥＲピクチャである過去のピクチャ若しくは未来のピクチャに関連してエンコードされる単一方向予測ピクチャ又はＢピクチャと称され且つ一つ又は複数の基準ピクチャに関連してエンコードされる双方向予測ピクチャであるＩＮＴＥＲピクチャ、である連続するピクチャからなるビデオストリームの形態で利用でき且つ画像の原シーケンスに対応するディジタルビデオデータをエンコードするために設けられるエンコーディング装置であって、上記ＩＮＴＲＡピクチャ自体が、時間的冗長性が利用できない場合にシーン変化に対応する新たなピクチャ群の初めに配置され且つシーン変化Ｉピクチャと称されるＩピクチャ、又は、何等かの時間的冗長性を利用できる場合に他の位置に配置され且つリフレッシュピクチャと称されるＩピクチャを含み、出力コード化ビットストリームを生成するようになっているエンコーディング装置において、エンコードされるべきＩ，Ｐ，Ｂピクチャのシーケンスを受け取ってエンコードする量子化及びコーディングブランチと、それぞれがエンコードされる受け取られたピクチャに対応する予測されるピクチャを再構成する予測ブランチと、上記Ｉ，Ｐ，Ｂピクチャに適用される連続するエンコーディング演算を制御する制御ブランチとを少なくとも備え、上記制御ブランチは、エンコードされるべきＩピクチャがリフレッシュピクチャである場合に、
（ａ）関与するＩＮＴＲＡリフレッシュピクチャがＩＮＴＥＲピクチャとしてエンコードされるステップであって、シーケンスの先行するＩＮＴＥＲピクチャのエンコーディングステップに類似するが、対応する出力ビットが上記出力コード化ビットストリームへいかなる方法によっても送られないステップと、
（ｂ）このようにして得られたエンコードされたＩＮＴＲＡリフレッシュピクチャに対応する時間的に予測されるピクチャが再構成されるステップと、
（ｃ）このようにして得られた再構成されたピクチャがＩＮＴＲＡモードでエンコードされるステップであって、対応する出力ビットが上記出力コード化ビットストリームへ送られるステップと、
の実施を制御する、エンコーディング装置に関する。
【００１５】
ここで、添付図面を参照しながら、本発明を一例として説明する。
【発明を実施するための最良の形態】
【００１６】
従来のコーディングシステムの一例が図１に示されている。図示のように、その入力において入力ビデオシーケンス１０を受け取る上記システムは、動き検出モジュール１１と、動き補償モジュール１２と、レート制御モジュール１３と、ＤＣＴモジュール１４と、量子化（Ｑ）モジュール１５と、可変長コーディング（ＶＬＣ）モジュール１６と、バッファ１７（このバッファの出力において、デコーディング側に記憶又は送信されなければならないコード化されたコード化ビットストリーム２２を利用できる）と、逆量子化（Ｑ−１）モジュール１８と、逆ＤＣＴ（ＤＣＴ−１）変換モジュール１９と、減算器２０と、加算器２１と、フレームメモリ２３とを備えている（このシステムは複数のモジュールを備えているが、当業者であれば、様々なモジュールによって実行される機能は、図１に示されるように別個のモジュールに分けられる必要はなく、例えば、動き補償モジュール１２と逆量子化モジュール１８と逆ＤＣＴモジュール１９とを備えるモジュールの組を「組み込みデコーダ」として実施することができる）。加算器２１の出力とフレームメモリ２３の入力との間にデブロッキング（非ブロック化）フィルタ（図１に参照符号２４で示される）が設けられていてもよい。ＭＰＥＧ規格及び総てのディジタルブロックベースのビデオエンコーディングシステムにおいて、入力ピクチャは、先に述べたように、Ｉ型、Ｐ型又はＢ型からなる。
【００１７】
ここで、本発明に係るコーディング方法の第１のステップについて説明する。ＩＮＴＲＡモードでエンコードされるべきＩＮＴＲＡリフレッシュピクチャがコーディングシステムの入力１０に存在すると、上記ピクチャは、他の時間的に予測されるピクチャとほぼ同じ画質及びアーティファクト（又は非常に類似する画質及びアーティファクト）を有する偽再構成ピクチャを得るために、実際にはＩＮＴＲＡモードでコード化されず、最後の実際のピクチャに類似するＰピクチャとしてコード化される。しかしながら、ビットは、コード化ビットストリームに全く出力されない（デコーディング側において、デコーダはＩＮＴＲＡピクチャを予期する）。
【００１８】
そして、コーディング方法の以下のステップが次のステップである。最初に、このようにして得られたエンコードリフレッシュピクチャに対応する時間的に予測されたピクチャが、モジュール１２，１８，１９を備える予測ブランチにおいて再構成（復元）される。その後、このようにして得られた再構成ピクチャは、このときに先行するＰピクチャの欠陥に類似する時間的な欠陥を含んでおり、ＩＮＴＲＡリフレッシュピクチャと置き換えられるとともに、ＩＮＴＲＡモードでエンコードされる。今度は、このようにして生成されたエンコードされたビッドがコード化ビットストリームに出力される。
【００１９】
本発明の利点は、デコーディング側において観察され得る。デコーダは、それが新しいＧＯＰをデコードし始めるときに偽ピクチャをデコードしていることを識別していないが、リフレッシュピクチャの見映えは、他のピクチャと同じままであり、あたかもそれがリフレッシュされなかったかのように、ＩＮＴＲＡピクチャのようには見えない。
【００２０】
尚、本発明に係る方法及び装置は、前述した実施に限定されず、他の実施の形態が提案されてもよい。
【００２１】
例えば、本発明に従って得られる偽ピクチャがＩＮＴＲＡモードでエンコードされる場合、エンコーダは、時間的なアーティファクトを再生する（本発明の原理に従って計画される）が、目に見える空間的なアーティファクトを導入しないことが好ましい。その結果、他のＩＮＴＥＲピクチャの場合よりもかなり低い量子化レベルを使用することが提案される。従って、空間的なアーティファクトを最小限に抑制することができる。
【００２２】
本発明の提案された実施の形態において、前述した方法は、ＩＮＴＲＡピクチャの限られたカテゴリ（ＩＮＴＲＡリフレッシュピクチャ）に対してのみ適用される。また、当該方法は総てのＩＮＴＲＡピクチャに対しても適用できるが、このケースでは、より低い量子化レベルが更に使用された場合、シーンカット（scene cut）で方法を無効にすることが有利である。これは、偽ピクチャのエンコーディングがより多くのビットを費やす（低い量子化レベルに起因して）からである。
【００２３】
また、目に見える空間的なアーティファクトを導入しないように、エンコーダがそのデコーディングループにデブロッキングフィルタ（このフィルタは、エンコーディング装置及びデコーディング装置がその後に同じフィルタリングを行ってドリフト効果を回避するため、Ｈ．２６４の規準となる部分である）を含むＨ．２６４エンコーダである場合には、上記デブロッキングフィルタがＩＮＴＲＡリフレッシュピクチャに関して無効にされる。従って、ＩＮＴＥＲピクチャに対するデブロッキングフィルタの作用を既に考慮に入れた偽ピクチャ再構成のフィルタリングを避けることができる。この無効化操作は、コード化ビットストリームで示されなければならない。
【００２４】
また、無効化操作は、ビットを節約するために、大きな動きを伴うシーンにおけるリフレッシュピクチャに関して提案されてもよい。それは、そのようなシーンではフラッシング効果が目に見えないという事実により妥当であると考えることができる。
【００２５】
また、図２に示されるように、予測ブランチ（デブロッキングフィルタ２４を有する又は有さない）において加算器２１の出力とフレームメモリ２３の入力との間に時間フィルタリング回路２５を加えることが提案されてもよい。そのような回路においては、異なる実施が提案されてもよい。例えば、先行する（若しくは先行する）（the previous (or a previous)）画像又は後続の（若しくは後続の）（the following (or a following)）画像をメモリ（１画像のサイズを有するメモリ）内に保存することができ、あるいは、過去の多くの画像及び／又は次の画像をメモリ内に保存することができるとともに、メジアンフィルタ又は同様の性質のフィルタを使用して対応するピクセルをフィルタリングすることができる。そのような構造を用いると、予測ステップがより正確になるとともに、（入力信号と予測された信号との間の差により）減算器２０の出力において得られる残留信号が更に小さくなり、即ち、圧縮因子が改善される。その後、更に高い質をもってデコーディング側で画像再構成が行われる。尚、予測ブランチには、デブロッキングフィルタ２４が存在していてもいなくてもよい。
【００２６】
ここで、付け加えると、ハードウェア若しくはソフトウェア又はこれらの両方のアイテムにより機能を実施する方法は多く存在する。この点において、図面は非常に概略的である。従って、図面は、異なる機能を異なるブロックで示しているが、このことは、ハードウェア又はソフトウェアの単一のアイテムが複数の機能を実行することを排除するものでは決してない。
【００２７】
ここで先に示された見解は、図面に関連する詳細な説明が本発明を限定するものではなく、添付の請求項の範囲内に入る多くの変形例が存在することを明示している。用語「備える、含む（comprising）」は、請求項に記載された要素又はステップ以外の要素又はステップの存在を排除するものではない。要素又はステップに先行する用語「一つの（ａ，ａｎ）」は、そのような要素又はステップの複数の存在を排除するものではない。
【図面の簡単な説明】
【００２８】
【図１】コーディングシステムの一つの実施の形態を示している。
【図２】コーディングシステムの一つの実施の形態を示している。
【図１】
2008500760.tif 000003
【図２】
2008500760.tif 000004
【国際調査報告】
2008500760.tif 000005
2008500760.tif 000006
2008500760.tif 000007